(57)【要約】      （修正有）【課題】ユーザーにとって利便性の高い装置を提供すること。【解決手段】コンテンツ管理システム３００において、ＰＣ１は、コンテンツを記憶する記憶部５と、ＣＰＵ２と、を備える。ＣＰＵ２は、プレイリストのバックアップ時、ＤＡＰ１０１に記憶されているプレイリストを記憶部５にコピーする。ＣＰＵ２は、記憶部５にコピーしたプレイリストの編集を受け付ける。ＣＰＵ２は、記憶部５に記憶されているコンテンツのプレイリストへの追加を受け付けた場合、プレイリストにコンテンツを追加する。ＣＰＵ２は、プレイリストのリストア時、プレイリストと、プレイリストに追加したコンテンツと、をＤＡＰ１０１にコピーする。【選択図】図１
2019159627.tif 000002
【特許請求の範囲】
【請求項１】
電子機器に記憶されている、コンテンツの再生順を指定するプレイリストをバックアップするプレイリスト管理装置であって、
コンテンツを記憶する記憶部と、
第１制御部と、を備え、
前記第１制御部は、
プレイリストのバックアップ時、前記電子機器に記憶されているプレイリストを前記記憶部にコピーし、
前記記憶部にコピーしたプレイリストの編集を受け付け、
前記記憶部に記憶されているコンテンツのプレイリストへの追加を受け付けた場合、プレイリストにコンテンツを追加し、
プレイリストのリストア時、プレイリストと、プレイリストに追加したコンテンツと、を前記電子機器にコピーすることを特徴とするプレイリスト管理装置。
【請求項２】
電子機器に記憶されている、コンテンツの再生順を指定するプレイリストをバックアップするプレイリスト管理装置であって、
コンテンツを記憶する記憶部と、
第１制御部と、を備え、
前記第１制御部は、前記記憶部に記憶されているコンテンツの転送時、転送先のフォルダ名を特定の名前とし、特定の名前のフォルダ内に、自装置のフォルダ構造を維持した状態で、コンテンツを転送し、
プレイリストのバックアップ時、前記電子機器に記憶されているプレイリストを前記記憶部にコピーし、
コピーしたプレイリストのパスに、特定の名前文字列が含まれている場合、特定の名前文字列が含まれるパスが指し示す自装置のコンテンツを、プレイリストに対応付けることを特徴とするプレイリスト管理装置。
【請求項３】
前記第１制御部は、
プレイリストに対応付けたコンテンツのタグ編集を受け付け、
プレイリストに対応付けたコンテンツのタグ編集を受け付けた場合、コンテンツのタグ編集を受け付けたコンテンツのタグを編集し、
プレイリストのリストア時、タグを編集したコンテンツを前記電子機器にコピーすることを特徴とする請求項２に記載のプレイリスト管理装置。
【請求項４】
前記第１制御部は、
プレイリストからのコンテンツの削除を受け付け、
プレイリストからのコンテンツの削除を受け付けた場合、プレイリストファイル内の該当行を削除することを特徴とする請求項１〜３のいずれか１項に記載のプレイリスト管理装置。
【請求項５】
前記第１制御部は、
プレイリスト内のコンテンツの並び替えを受け付け、
プレイリスト内のコンテンツの並び替えを受け付けた場合、プレイリストファイル内の該当行を切り取り、並び替え後の位置に貼り付けることを特徴とする請求項１〜４のいずれか１項に記載のプレイリスト管理装置。
【請求項６】
コンテンツの再生順を指定するプレイリストを作成する電子機器であって、
第２制御部を備え、
前記第２制御部は、
データベース形式で、プレイリストを作成し、
プレイリストのバックアップ時、所定のフォルダ内に、プレイリストをプレイリストファイルとして、エクスポートすることを特徴とする電子機器。
【請求項７】
前記第２制御部は、プレイリストのリストア時、プレイリストファイルを解析して、データベースに取り込み、取り込みが完了したプレイリストファイルを削除することを特徴とする請求項６に記載の電子機器。
【請求項８】
コンテンツの再生順を指定するプレイリストを作成する電子機器であって、
第２制御部を備え、
前記第２制御部は、
プレイリストファイルを作成し、
プレイリストのバックアップ時、プレイリストファイルが存在している場所の一覧を記載したファイルを所定のフォルダ内に作成することを特徴とする電子機器。
【請求項９】
請求項１〜５のいずれか１項に記載のプレイリスト管理装置と、
請求項６〜８のいずれか１項に記載の電子機器と、
を備えることを特徴とするプレイリスト管理システム。
【発明の詳細な説明】
【技術分野】
【０００１】
本発明は、プレイリストを管理するプレイリスト管理装置、電子機器、及び、プレイリスト管理システムに関する。
【背景技術】
【０００２】
複数のストレージを有するモバイル端末（例えば、特許文献１参照。）で作成されたプレイリストをパーソナルコンピュータ（ＰＣ）にコピーする場合、コンテンツと併せてプレイリストもコピーする方法が一般的である。しかしながら、プレイリストのバックアップをＰＣに行いたい場合、コンテンツをＰＣに転送せず、プレイリストだけをコピーしたい場合も存在する。一方、ユーザーは、バックアップしたプレイリストの内容を、適宜、項目の追加・削除・並べ替え等の編集をして、モバイル端末に戻したくなることが考えられる。しかしながら、ＰＣとモバイル端末とにおいて、ファイルのパスが異なるため、編集を反映させたプレイリストをＰＣで作るためには、バックアップ時にコンテンツもコピーする必要がある。
【０００３】
また、モバイル端末内のコンテンツはコピーしたくないが、プレイリストのバックアップをＰＣに行った際に、プレイリストに含まれているコンテンツが存在していたら、自動で対応付けが行われ、そのコンテンツのタグ編集が可能になったり、適宜、バックアップしたプレイリストのリストア時に、タグ編集が行われたコンテンツが、モバイル端末へ転送されて欲しいケースもあったりする。
【０００４】
上述のように、ＰＣからモバイル端末へ転送したコンテンツと、ＰＣに存在している転送元のコンテンツと、を対応付ける場合、最もストレートな方法は、モバイル端末に存在しているコンテンツと、ＰＣに存在しているコンテンツと、について、全て、ファイル名・サイズ等を比較する方法である。しかしながら、この方法は、コンテンツ数によってかなり時間がかかる処理となる。また、ファイル名とサイズとが一致しているコンテンツが存在していた場合、見分けるために、タグを解析する必要が出てきたりする。
【０００５】
一方、個々のファイルに一意な番号を振り、その番号を保存したファイルやＤＢ等の管理ファイルをコンテンツ転送時に一緒に転送するという方法がある。この方法であれば、番号が一致していれば、同一ファイルとみなすことができるため、見分けるためにファイル名やサイズを比較したり、タグ等を解析したりする必要がない。しかしながら、管理が複雑になるため、実現に手間がかかり、また、番号を保存しているファイルが消えてしまえば、機能しなくなってしまう。
【先行技術文献】
【特許文献】
【０００６】
【特許文献１】特開２０１７−０３３４８３号公報
【発明の概要】
【発明が解決しようとする課題】
【０００７】
上述のように、従来技術には、種々の問題がある。
【０００８】
本発明の目的は、種々の問題を解決し、ユーザーにとって利便性の高い装置を提供することである。
【課題を解決するための手段】
【０００９】
第１の発明のプレイリスト管理装置は、電子機器に記憶されている、コンテンツの再生順を指定するプレイリストをバックアップするプレイリスト管理装置であって、コンテンツを記憶する記憶部と、第１制御部と、を備え、前記第１制御部は、プレイリストのバックアップ時、前記電子機器に記憶されているプレイリストを前記記憶部にコピーし、前記記憶部にコピーしたプレイリストの編集を受け付け、前記記憶部に記憶されているコンテンツのプレイリストへの追加を受け付けた場合、プレイリストにコンテンツを追加し、プレイリストのリストア時、プレイリストと、プレイリストに追加したコンテンツと、を前記電子機器にコピーすることを特徴とする。
【００１０】
本発明では、第１制御部は、記憶部に記憶されているコンテンツのプレイリストの追加を受け付けた場合、プレイリストのリストア時、プレイリストと、プレイリストへの追加を受け付けたコンテンツと、を電子機器にコピーする。これにより、追加されたコンテンツも含まれたプレイリストが電子機器にリストアされる。このため、ユーザーは、そのプレイリストを利用することができるため、ユーザーにとって利便性が高い。
【００１１】
第２の発明のプレイリスト管理装置は、電子機器に記憶されている、コンテンツの再生順を指定するプレイリストをバックアップするプレイリスト管理装置であって、コンテンツを記憶する記憶部と、第１制御部と、を備え、前記第１制御部は、前記記憶部に記憶されているコンテンツの転送時、転送先のフォルダ名を特定の名前とし、特定の名前のフォルダ内に、自装置のフォルダ構造を維持した状態で、コンテンツを転送し、プレイリストのバックアップ時、前記電子機器に記憶されているプレイリストを前記記憶部にコピーし、コピーしたプレイリストのパスに、特定の名前文字列が含まれている場合、特定の名前文字列が含まれるパスが指し示す自装置のコンテンツを、プレイリストに対応付けることを特徴とする。
【００１２】
本発明では、第１制御部は、コピーしたプレイリストのパスに、特定の名前文字列が含まれている場合、特定の名前文字列が含まれるパスが指し示す自装置のコンテンツを、プレイリストに対応付ける。これにより、プレイリストに対応付けられたコンテンツのタグ編集を行うことができる。このように、本発明によれば、プレイリストに対応付けられたコンテンツのタグ編集を行うことができるため、ユーザーにとって利便性が高い。また、管理ファイルを導入する必要がなく、プレイリスト管理装置内の全コンテンツを参照する手間を省くことができる。
【００１３】
第３の発明のプレイリスト管理装置は、第２の発明のプレイリスト管理装置において、前記第１制御部は、プレイリストに対応付けたコンテンツのタグ編集を受け付け、プレイリストに対応付けたコンテンツのタグ編集を受け付けた場合、コンテンツのタグ編集を受け付けたコンテンツのタグを編集し、プレイリストのリストア時、タグを編集したコンテンツを前記電子機器にコピーすることを特徴とする。
【００１４】
第４の発明のプレイリスト管理装置は、第１〜第３のいずれかの発明のプレイリスト管理装置において、前記第１制御部は、プレイリストからのコンテンツの削除を受け付け、プレイリストからのコンテンツの削除を受け付けた場合、プレイリストファイル内の該当行を削除することを特徴とする。
【００１５】
第５の発明のプレイリスト管理装置は、第１〜第４のいずれかの発明のプレイリスト管理装置において、前記第１制御部は、プレイリスト内のコンテンツの並び替えを受け付け、プレイリスト内のコンテンツの並び替えを受け付けた場合、プレイリストファイル内の該当行を切り取り、並び替え後の位置に貼り付けることを特徴とする。
【００１６】
第６の発明の電子機器は、コンテンツの再生順を指定するプレイリストを作成する電子機器であって、第２制御部を備え、前記第２制御部は、データベース形式で、プレイリストを作成し、プレイリストのバックアップ時、所定のフォルダ内に、プレイリストをプレイリストファイルとして、エクスポートすることを特徴とする。
【００１７】
第７の発明の電子機器は、第６の発明の電子機器において、前記第２制御部は、プレイリストのリストア時、プレイリストファイルを解析して、データベースに取り込み、取り込みが完了したプレイリストファイルを削除することを特徴とする。
【００１８】
第８の発明の電子機器は、コンテンツの再生順を指定するプレイリストを作成する電子機器であって、第２制御部を備え、前記第２制御部は、プレイリストファイルを作成し、プレイリストのバックアップ時、プレイリストファイルが存在している場所の一覧を記載したファイルを所定のフォルダ内に作成することを特徴とする。
【００１９】
第９の発明のプレイリスト管理システムは、第１〜第５のいずれかの発明のプレイリスト管理装置と、第６〜第８のいずれかの発明の電子機器と、を備えることを特徴とする。
【発明の効果】
【００２０】
本発明によれば、ユーザーは、コンテンツを追加したプレイリストを利用することができるため、ユーザーにとって利便性が高い。
【図面の簡単な説明】
【００２１】
【図１】本発明の実施形態に係るコンテンツ管理システムの構成を示すブロック図である。
【図２】ＤＡＰからＰＣへのプレイリストのバックアップのイメージを示す図である。
【図３】プレイリストの編集のイメージを示す図である。
【図４】ＰＣからＤＡＰへのプレイリストのリストアのイメージを示す図である。
【発明を実施するための形態】
【００２２】
（コンテンツ管理システム）
以下、本発明の実施形態について説明する。図１は、本実施形態に係るコンテンツ管理システム３００の構成を示すブロック図である。コンテンツ管理システム３００は、デジタルオーディオプレーヤー（以下、「ＤＡＰ」という。）１０１に記憶されているコンテンツを管理するものであり、プレイリストを管理するプレイリスト管理システムとして機能する。コンテンツ管理システム３００は、コンテンツ管理装置（プレイリスト管理装置）として機能するパーソナルコンピューター（以下、「ＰＣ」という。）１と、ＤＡＰ１０１と、を備える。
【００２３】
（ＰＣ）
ＰＣ１は、記憶部５に記憶されているコンテンツ管理アプリケーションＰ１が実行されることにより、コンテンツを管理するコンテンツ管理装置として機能する。ＰＣ１は、ＣＰＵ（Central Processing Unit）２、ＲＯＭ（Read Only Memory）３、ＲＡＭ（Random Access Memory）４、記憶部５、表示部６、操作部７、ＵＳＢインターフェース（以下、「ＵＳＢ  Ｉ／Ｆ」という。）８、ネットワークインターフェース（以下、「ＮＷ  Ｉ／Ｆ」という。）９、スピーカー１０を備える。なお、コンテンツ管理アプリケーションＰ１は、工場出荷時にＰＣ１の記憶部５に記憶されていてもよいし、後述するＮＷ  Ｉ／Ｆ９を介して、図示しないサーバーからダウンロードされ、ＰＣ１の記憶部５に記憶されていてもよい。
【００２４】
ＣＰＵ２（第１制御部）は、制御プログラム、ＯＳ（Operating System）プログラム、コンテンツ管理アプリケーションＰ１を含むアプリケーションプログラムに従って、ＰＣ１を構成する各部を制御する。
【００２５】
ＲＯＭ３は、制御プログラムを記憶する。ＲＡＭ４は、ＣＰＵ２の主メモリとして機能する。記憶部５は、ＯＳプログラム、コンテンツ管理アプリケーションＰ１を含むアプリケーションプログラム等のプログラム、音楽、静止画、動画等のコンテンツを記憶するＨＤＤ（Hard Disk Drive）である。なお、記憶部５は、例示する構成に限られず、ＳＳＤ（Solid State Drive）等であってもよい。
【００２６】
表示部６は、種々の画像（静止画、動画を含む）を表示するものであり、例えば、液晶ディスプレイである。操作部７は、キーボードやマウス等から構成されており、各種設定、コンテンツの転送指示等を行うためのものである。ユーザーは、操作部７を介して、コンテンツ管理アプリケーションＰ１の実行、ＤＡＰ１０１へのコンテンツの転送指示等を行うことが可能である。ＵＳＢ  Ｉ／Ｆ８は、ＤＡＰ１０１とＵＳＢ規格に対応した通信を行うためのインターフェースである。ＰＣ１は、ＵＳＢ  Ｉ／Ｆ８を介して、ＤＡＰ１０１と通信を行うことが可能である。ＮＷ  Ｉ／Ｆ９は、図示しないネットワークを介して、インターネットに接続するためのインターフェースである。ＰＣ１は、ＮＷ  Ｉ／Ｆ９を介して、他の端末と通信等を行うことが可能である。スピーカー１０は、ＣＰＵ２から出力される音声信号に基づいて、音楽等の種々の音声を出力する。
【００２７】
（ＤＡＰ）
ＤＡＰ１０１（電子機器）は、記憶部１０３に記憶されているミュージックアプリケーションＰ２が実行されることにより、音楽（コンテンツ）を再生する音楽再生装置として機能する。ＤＡＰ１０１は、ヘッドホン２００にアナログオーディオデータを出力する。ヘッドホン２００は、アナログオーディオデータに基づいて、音声を外部に出力する。ＤＡＰ１０１は、ＣＰＵ１０２、ＲＯＭ１１４、ＲＡＭ１１５、記憶部１０３、メモリーカード１０４、１０５、表示部１０６、操作部１０７、ＤＳＰ（Digital Signal Processor）１０８、Ｄ／Ａコンバーター（以下、「ＤＡＣ」という。）１０９、増幅器１１０、無線モジュール１１１、ＵＳＢインターフェース（以下、「ＵＳＢ  Ｉ／Ｆ」という。）１１２を備える。
【００２８】
ＣＰＵ１０２（第２制御部）は、制御プログラム、ＯＳプログラム、ミュージックアプリケーションＰ２を含むアプリケーションプログラムに従って、ＤＡＰ１０１を構成する各部を制御する。ＲＯＭ１１４は、制御プログラムを記憶する。ＲＡＭ１１５は、ＣＰＵ１０２の主メモリとして機能する。記憶部１０３は、ＯＳプログラム、アプリケーションプログラム等のプログラム、コンテンツ等の各種データを記憶するフラッシュメモリである。記憶部１０３は、内蔵ストレージである。なお、記憶部１０３は、例示する構成に限られず、ＨＤＤ（Hard Disk Drive）等であってもよい。
【００２９】
メモリーカード１０４、１０５は、コンテンツを記憶する。メモリーカード１０４、１０５は、例えば、ｍｉｃｒｏＳＤカードである。メモリーカード１０４、１０５は、外部ストレージである。表示部１０６は、種々の画像（静止画像、動画像を含む）を表示するものであり、液晶パネルにより構成されている。操作部１０７は、各種設定を行うための操作キー、及び、表示部１０６と連動したタッチパネルを備えている。ユーザーは、操作部１０７を介して、各種の文字入力、設定などを行うことが可能である。また、ユーザーは、操作部１０７を介して、コンテンツの再生順を指定するプレイリストを作成することが可能である。
【００３０】
ＤＳＰ１０８は、デジタルオーディオデータ（コンテンツ）に、イコライザー処理等の信号処理を行う。ＤＡＣ１０９は、デジタルオーディオデータをアナログオーディオデータにＤ／Ａ変換する。増幅器１１０は、ＤＡＣ１０９がＤ／Ａ変換したアナログオーディオデータを増幅し、ヘッドホン２００に出力する。無線モジュール１１１は、Ｂｌｕｅｔｏｏｔｈ（登録商標）規格、Ｗｉ−Ｆｉ規格に従った無線通信を行うためのものである。ＤＡＰ１０１は、無線モジュール１１２を介して、外部サーバーと通信可能である。ＵＳＢ  Ｉ／Ｆ１１３は、ＵＳＢ規格に従った通信を行うためのものである。ＤＡＰ１０１は、ＵＳＢ  Ｉ／Ｆ１１３を介して、ＰＣ１と通信を行うことが可能である。
【００３１】
ＰＣ１は、記憶部１０３、メモリーカード１０４、１０５に記憶されているコンテンツを管理する。ＰＣ１とＤＡＰ１０１とは、ＵＳＢケーブルによって接続される。
【００３２】
１．コンテンツの転送
ユーザーは、上述したように、ＰＣ１の操作部７を操作することにより、ＰＣ１からＤＡＰ１０１にコンテンツを転送することができる。ＣＰＵ２は、コンテンツを転送するための操作を受け付けると、記憶部５に記憶されているコンテンツをＤＡＰ１０１に転送する。このとき、転送先は、特定の名前のフォルダ１とし、その中に、ＰＣ１側のフォルダ構造を維持した状態で、コンテンツを転送する。
【００３３】
２．プレイリストの作成
ユーザーは、上述したように、ＤＡＰ１０１の操作部１０７を操作することにより、コンテンツの再生順を指定するプレイリストを作成することができる。ＣＰＵ１０２は、プレイリストを作成するための操作を受け付けると、プレイリストを作成する。このとき、プレイリストの保存形式は、ファイル形式でも、データベース（ＤＢ）形式でも構わない。プレイリストに含まれるコンテンツは、ＰＣ１からＤＡＰ１０１に転送されたコンテンツの他、例えば、インターネット経由で、ＤＡＰ１０１に直接、外部サーバーからダウンロードされたコンテンツであってもよい。
【００３４】
３．プレイリストのバックアップ
プレイリストのバックアップについて説明する。ＰＣ１にＤＡＰ１が接続され、ユーザーによる所定の操作により、ＤＡＰ１０１に記憶されているプレイリストが、ＰＣ１にバックアップされる。ＣＰＵ２は、ＤＡＰ１０１に記憶されているプレイリストファイルを、ＰＣ１の記憶部５にコピーする。
【００３５】
バックアップ対象となるＤＡＰ１０１内で作成されたプレイリストが、ＤＢ形式である場合、ＰＣ１接続時に、ＤＡＰ１０１のＣＰＵ１０２は、転送先フォルダ１以下に、特定の名前のフォルダ２を作成する。ＣＰＵ１０２は、フォルダ２内に、対象となるプレイリストを、プレイリストファイルとして、エクスポートする。このとき、プレイリスト内に記載するコンテンツのパスは、絶対パスとする。ＰＣ１のＣＰＵ２は、フォルダ２内のプレイリストファイルをコピーする。
【００３６】
バックアップ対象のプレイリストが、プレイリストファイルである場合、ＰＣ１接続時に、ＤＡＰ１０１のＣＰＵ１０２は、プレイリストファイルが存在している場所の一覧を記載したファイルを、特定のフォルダに置く（作成する）。又は、ＰＣ１でプレイリストをコピーするときに、コピーしてきた場所の情報を、プレイリストとともに保持しておく等の方法により、ＤＡＰ１０１へのプレイリストのリストア時に、プレイリストの戻し先（リストア先）がわかるようにしたうえで、ＰＣ１のＣＰＵ２は、プレイリストファイルをコピーする。なお、リストアとは、ＤＡＰ１０１からＰＣ１にコピー（バックアップ）したプレイリストを、ＰＣ１からＤＡＰ１０１に戻すことをいう。
【００３７】
４．プレイリスト内コンテンツの対応付け
ＣＰＵ２は、コピーしたプレイリスト内の、各コンテンツのパスを参照する。そして、ＣＰＵ２は、転送先としてフォルダにつけた特定の名前文字列がパスに含まれているかを確認する。ＣＰＵ２は、特定の名前文字列がパスに含まれている場合、そのフォルダ以下の構造は、ＰＣ１の構造と同一であるため、ＰＣ１上のそのパスが指し示す先にあるファイルをプレイリストに対応付ける。
【００３８】
５．プレイリストの編集
ユーザーは、ＰＣ１の操作部７を操作し、コンテンツ管理アプリケーションＰ２を起動して、コンテンツ管理アプリケーションＰ２により、ＰＣ１にコピーしたプレイリストを編集することができる。
（１）コンテンツの追加
ＣＰＵ２は、操作部７を介して、プレイリストへのＰＣ１内のコンテンツの追加を受け付け、プレイリストへＰＣ１内のコンテンツを追加する場合、コンテンツへの相対パスをプレイリストに追加し、そのコンテンツをリストア時の転送対象とする。
（２）コンテンツの削除
ＣＰＵ２は、操作部７を介して、プレイリスト内のコンテンツの削除を受け付け、プレイリスト内のコンテンツを削除する場合、プレイリストファイルの該当行を削除する。
（３）コンテンツの並び替え
ＣＰＵ２は、操作部７を介して、プレイリスト内のコンテンツの並び替えを受け付け、プレイリスト内のコンテンツの並び替えを行う場合、プレイリスト内の該当行を、そのまま切り取り、並び替え後の位置に貼り付ける。
（４）コンテンツのタグ編集
コンテンツのタグ編集は、上記した「４．コンテンツの対応付け」において、ＰＣ１内のファイルと対応付けられたコンテンツにのみ有効である。ＣＰＵ２は、操作部７を介して、プレイリスト内のコンテンツのタグの変更を受け付け、プレイリスト内のコンテンツのタグを変更する場合、ＰＣ１内の対応付けられたファイルのタグを編集し、そのコンテンツをリストア時の転送対象とする。
【００３９】
６．プレイリストのリストア
ＰＣ１にＤＡＰ１０１が接続されると、ＣＰＵ２は、「３．プレイリストのバックアップ」でバックアップしたプレイリストに、適宜、「５．プレイリストの編集」で編集を施したプレイリストをＤＡＰ１０１にコピーする。このとき、ＣＵ２は、「５．プレイリストの編集」において、「（１）コンテンツの追加」、「（５）コンテンツのタグ編集」が行われていた場合、転送対象となっているＰＣ１内のコンテンツも、「１．コンテンツの転送」同様、ＰＣ１側のフォルダ構造を維持した状態で、転送先フォルダ１以下に転送する。
【００４０】
プレイリストの転送先等は、ＤＡＰ１０１内のプレイリストの保存形式によって、以下のようになる。
（１）ＤＡＰ１０１内のプレイリストの保存形式が、ＤＢ形式の場合、ＣＰＵ２は、ＤＡＰ１０１側の転送先フォルダ１以下に、特定の名前のフォルダ３を作成し、そのフォルダ内にプレイリストをコピーする。ＤＡＰ１０１のＣＰＵ１０２は、ＰＣ１との接続が解除されたタイミングで、フォルダ３内に存在するプレイリストを解析し、ＤＢに取り込み、取り込みが完了したファイルを削除する。
（２）ＤＡＰ１０１内のプレイリストの保存形式が、ファイル形式の場合、ＣＰＵ２は、バックアップ時に保持しておいた、プレイリストをコピーして来たＤＡＰ１０１側の情報を基に、プレイリストファイルが存在していた場所に、プレイリストをコピーする。
【００４１】
図２は、ＤＡＰ１０１からＰＣ１へのプレイリストのバックアップのイメージを示す図である。ＰＣ１のＣＰＵ２は、ＤＡＰ１０１が接続されると、「xdaplink」フォルダ内にある、プレイリストファイル「playlist.m3u」を、記憶部５にコピーする。ここで、xdaplink/music1.mp3は、ＰＣ１の「xdaplink」フォルダからＤＡＰ１０１に転送されたフォルダであるため、パスに「xdaplink」が含まれている。このため、ＣＰＵ２は、プレイリスト内のファイル名（コンテンツ名）と、記憶部５に記憶されているファイル（コンテンツ）と、を対応付ける。これにより、ユーザーは、「music1.mp3」ファイルのタグ編集を行うことができる。
【００４２】
図３は、プレイリストの編集のイメージを示す図である。ユーザーは、コンテンツ管理アプリケーションＰ２により、プレイリストを編集することができる。図３に示すように、プレイリストに「music4」が追加されている。ここで、「music4.mp3」は、「xdaplink」フォルダ内にあるため、プレイリストに「xdaplink/music4.mp3」と記載される。また、図３に示すように、プレイリストから「music2」が削除されている。また、図３に示すように、プレイリストの「music3」が並べ替えられている。また、図３に示すように、プレイリストの「music1」のタグが編集されている。
【００４３】
図４は、ＰＣ１からＤＡＰ１０１へのプレイリストのリストアのイメージを示す図である。ＰＣ１のＣＰＵ２は、ＤＡＰ１０１が接続されると、プレイリストファイル「playlist1.m3u」、タグが編集された「music1.mp3」、プレイリストに追加された「music4.mp3」をＤＡＰ１０１にコピーする。
【００４４】
以上説明したように、本実施形態では、ＣＰＵ２は、記憶部５に記憶されているコンテンツのプレイリストの追加を受け付けた場合、プレイリストのリストア時、プレイリストと、プレイリストへの追加を受け付けたコンテンツと、をＤＡＰ１０１にコピーする。これにより、追加されたコンテンツも含まれたプレイリストがＤＡＰＵ１０１にリストアされる。このため、ユーザーは、そのプレイリストを利用することができるため、ユーザーにとって利便性が高い。
【００４５】
また、本実施形態では、ＣＰＵ２は、コピーしたプレイリストのパスに、特定の名前文字列が含まれている場合、特定の名前文字列が含まれるパスが指し示すＰＣ１のコンテンツを、プレイリストに対応付ける。これにより、プレイリストに対応付けられたコンテンツのタグ編集を行うことができる。このように、本発明によれば、プレイリストに対応付けられたコンテンツのタグ編集を行うことができるため、ユーザーにとって利便性が高い。また、管理ファイルを導入する必要がなく、ＰＣ１内の全コンテンツを参照する手間を省くことができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態においては、電子機器として、ＤＡＰ１０１を例示した。これに限らず、プレイリストを作成可能な電子機器であれば、スマートフォン、タブレット等であってもよい。
【産業上の利用可能性】
【００４８】
本発明は、プレイリストを管理するプレイリスト管理装置、電子機器、及び、プレイリストシステムに好適に採用され得る。
【符号の説明】
【００４９】
１  ＰＣ（プレイリスト管理装置）
２  ＣＰＵ（第１制御部）
５  記憶部
７  操作部
１０１  ＤＡＰ（電子機器）
１０２  ＣＰＵ（第２制御部）
１０３  記憶部
１０４、１０５  メモリーカード
１０７  操作部
Ｐ１  コンテンツ管理アプリケーション
Ｐ２  ミュージックアプリケーション
【図１】
2019159627.tif 000003
【図２】
2019159627.tif 000004
【図３】
2019159627.tif 000005
【図４】
2019159627.tif 000006